(57)【特許請求の範囲】
【請求項１】
室内空気と冷媒との間で熱交換を行う熱交換器と、前記熱交換器で発生するドレンが溜まり、内部を視認可能とする透明部材を有するドレン容器と、前記ドレンに接触する位置に、外部から前記透明部材を介して視認される被視物と、を備え、
前記透明部材の前記ドレンに対向する内面、および前記被視物において前記ドレンに接触する面のうち、前記透明部材の前記内面のみに、可視光により励起される光触媒膜が設けられている、
ことを特徴とする空調用室内ユニット。
【請求項２】
前記被視物は、前記ドレンを吸い込んで配管へと送るドレンポンプの吸込部である、
請求項１に記載の空調用室内ユニット。
【請求項３】
室内空気と冷媒との間で熱交換を行う熱交換器と、前記熱交換器で発生するドレンが溜まり、内部を視認可能とする透明部材を有するドレン容器と、を備え、
前記透明部材の前記ドレンに対向する内面の一部には、可視光により励起される光触媒膜が設けられている、ことを特徴とする空調用室内ユニット。
【請求項４】
外部の可視光を前記光触媒膜に供給する導光部材を備える、
請求項１から３のいずれか一項に記載の空調用室内ユニット。
【請求項５】
前記導光部材は、外部の可視光を前記透明部材の内面側から前記光触媒に供給する、
請求項４に記載の空調用室内ユニット。
【発明の詳細な説明】
【技術分野】
【０００１】
本発明は、ドレン容器の一部が外部に対して可視化された空調用室内ユニットに関する。
【背景技術】
【０００２】
空気調和機用の室内ユニット（空調用室内ユニット）は、熱交換器で発生するドレンを回収するドレンパン（ドレン容器）を備えている。ドレンパン内には、微生物やその代謝物等である有機物を原因とする汚れが生じるため、その汚れを確認し、必要に応じて清掃するメンテナンスが行われる。
しかしながら、ドレンパン内の汚れを確認するには、ドレンパンをユニット本体から取り外さなくてはならないので、一般ユーザーによる汚れ確認作業が困難である。
そこで、本出願人は、汚れが溜まり易いドレンパンの底部に透明部材を設けるとともに、ドレンパンの内側に透明部材を介して視認される反射部材を設け、当初は清浄であった透明部材が汚れることにより、反射部材が見え難くなることに基づいて、ドレンパン内が汚れているかどうかを外部から確認できるようにした空調用室内ユニットを既に出願している（特許文献１）。このようにすれば、ドレンパンを取り外すことなく、一般ユーザーでも汚れ確認作業を容易に行える。
【先行技術文献】
【特許文献】
【０００３】
【特許文献１】特開２００９−１２７９８３号公報
【発明の概要】
【発明が解決しようとする課題】
【０００４】
しかしながら、ドレンパンの底部には汚れが滞留し易いために、透明部材の表面は汚染が進むのが他の部位よりも早い。したがって、透明部材の表面以外はそれほど汚れていないにもかかわらず、ドレンパンの内側の反射部材が短期間で見え難くなり、ドレンパン内が汚れているかを透明部材を介して外部から確認することが早期に困難になる。このため、ドレンパンの清掃時期を適切に判断することが難しくなる。
【０００５】
本発明は、このような課題に基づいてなされたもので、外部からのドレン容器内の汚れの視認性が低下するのを抑制できる空調用ユニットを提供することを目的とする。
【課題を解決するための手段】
【０００６】
本発明の空調用室内ユニットは、室内空気と冷媒との間で熱交換を行う熱交換器と、熱交換器で発生するドレンが溜まり、内部を視認可能とする透明部材を有するドレン容器と、ドレンに接触する位置に、外部から透明部材を介して視認される被視物と、を備えている。透明部材のドレンに対向する内面、および被視物においてドレンに接触する面のうち、透明部材の内面のみに、可視光により励起される光触媒膜が設けられている。
この発明によれば、空調用室内ユニットの外部から透明部材を透過した可視光に光触媒膜が応答（励起）することにより、透明部材の内面付近の有機物が酸化分解される。これによって透明部材の内面が汚染されるのが抑制されるので、外部からのドレン容器内の汚れの視認性が低下するのを抑制できる。
【０００７】
ここで、紫外光励起型の光触媒も知られている。しかし、可視光は樹脂、ソーダガラス等の安価な材料でもその大部分が透過するのに対して、紫外光は石英ガラス等の高価なガラス材料でなければ殆ど透過しない。
したがって、用いる光触媒を可視光励起型とすることにより、透明部材に高価な材料を用いなくても、その内面に設けられた光触媒膜を確実に応答させ、上記効果を得ることができる。そして、室内照明光や太陽光からなる室内光に含まれる可視光の比率は、紫外光と比べて高いため、可視光励起型を採用することにより、紫外光励起型を採用するよりも光触媒を高効率で作動させることができる。
【０００８】
本発明の空調用室内ユニットでは、ドレンに接触する位置に、外部から透明部材を介して視認される被視物を備える。
本発明によれば、ドレンに接触したために有機物が付着した被視物の内面の状態（例えば、色や濃さ）に基づいて、汚れの程度を把握できる。
【０００９】
本発明の空調用室内ユニットでは、被視物は、ドレンを吸い込んで配管へと送るドレンポンプの吸込部であることが好ましい。
このようにドレンポンプの吸込部が被視物を兼ねることで、別途の被視物を設けることが不要となる上、光触媒膜の作用によって透明部材の内面から剥離された汚れが、ドレンポンプの吸込部付近のドレンの流れによって洗い流されるので、透明部材の内面が汚染されるのを抑制することができる。
【００１０】
本発明の空調用室内ユニットでは、透明部材の内面の全面に光触媒膜を設けることもできるが、その内面の一部に光触媒膜を設けることもできる。
後者の場合、本発明の空調用室内ユニットは、室内空気と冷媒との間で熱交換を行う熱交換器と、熱交換器で発生するドレンが溜まり、内部を視認可能とする透明部材を有するドレン容器と、を備えている。透明部材のドレンに対向する内面の一部には、可視光により励起される光触媒膜が設けられている。
本発明によれば、透明部材の内面において光触媒が設けられた領域と、他の領域との汚れの状態の差に基づいて、汚れの程度を把握できる。つまり、光触媒膜が設けられていない領域が上記の被視物の代わりとなるので、被視物を設ける必要がない。
さらに、光触媒膜が透明部材の内面の一部にのみ設けられることで光触媒の使用量を減らせるため、コストを抑えられる。
【００１１】
本発明の空調用室内ユニットは、外部の可視光を光触媒に供給する導光部材を備えていることが好ましい。
この発明によれば、導光部材によって光触媒膜への可視光供給量を増大させることができるので、光触媒の作動効率を高めることができる。特に、導光部材により、外部の可視光が透明部材を介さずに内面側から光触媒に供給されるようにすれば、透明部材の通過に伴う光の減衰が生じないので、光触媒膜への可視光供給量がより増大する。
さらに、光触媒膜が設けられた透明部材の内面側への可視光供給量が多いことでドレン容器内の照度が上がり、ドレン容器内の視認性が向上するので、ドレン容器内の汚れの確認が容易となる。
【発明の効果】
【００１２】
本発明によれば、外部からのドレン容器内の汚れの視認性が低下するのを抑制できる。
【図面の簡単な説明】
【００１３】
【図１】本発明の第１実施形態に係る空調用室内ユニットを示す斜視図である。
【図２】図１の要部を拡大して模式的に示す縦断面図である。
【図３】外部から視認されるドレンポンプ吸込部の汚れの進行を模式的に示す平面図である。（Ａ）、（Ｂ）、（Ｃ）の順に汚染が進行する。
【図４】第１実施形態の変形例を示す図である。
【図５】本発明の第２実施形態を示し、（Ａ）は図２に対応する図、（Ｂ）は透明部材の平面図である。
【図６】外部から視認される透明部材の第１領域および第２領域の汚れの進行を模式的に示す平面図である。（Ａ）、（Ｂ）、（Ｃ）の順に汚染が進行する。
【図７】本発明の第３実施形態を示す模式図である。
【図８】本発明の第４実施形態を示す模式図である。
【発明を実施するための形態】
【００１４】
以下、添付図面に示す実施形態に基づいてこの発明を詳細に説明する。
なお、以降の説明においては、既に説明した構成と同様の構成については同じ符号を付し、その説明を省略または簡略する。
〔第１実施形態〕
図１、図２に示す第１実施形態の室内ユニット１０は、室外ユニットおよび冷媒配管（いずれも図示省略）とともに天井設置型の空気調和機を構成している。
室外ユニットは、冷媒を圧縮する圧縮機、冷媒と室外空気との間で熱交換を行う室外熱交換器、および室外ファンを備えている。
冷媒配管は、室外ユニットと室内ユニット１０との間で冷媒が循環するように、これらのユニット間を連結する。
【００１５】
室内ユニット１０は、天井（図示せず）に埋め込んで設置されたケース本体１１の内部に、冷媒と室内空気との熱交換を行う室内熱交換器１２と、ドレンパン（ドレン容器）１３と、室内熱交換器１２に室内空気を送る送風機１４と、送風機駆動用モータ（図示せず）と、送風機１４に向けて室内空気を案内する導風板１５とを備えている。
ケース本体１１の下部には、図示しない外装パネルが装着されている。この外装パネルの中央部には、室内空気をケース本体１１内に吸い込むための吸込口が形成されており、この吸込口に隣接するその外側には、室内熱交換器１２を通過した空気が吹き出される吹出口が形成されている。
なお、本実施形態における上・下は、室外ユニット１０が天井に設置された状態での上・下をいうものとする。第２実施形態以降においても同様である。
【００１６】
空気調和機の運転時には、室外ユニットからの冷媒が室内熱交換器１２に供給されるとともに、送風機駆動用モータによって送風機１４が回転駆動される。すると、外装パネルの吸込口から取り込まれた室内空気が導風板１５に沿って送風機１４に流入し、送風機１４によって室内熱交換器１２に吹き付けられる。この室内空気が室内熱交換器１２の内部を流過する過程で冷却または加熱されることにより、調和空気となって外装パネルの吹出口から室内に放出される。
【００１７】
冷房運転時に室内空気が室内熱交換器１２によって冷却されると、室内空気中の水分が室内熱交換器１２の表面に凝縮液化してドレン２７（図２）となり、ドレンパン１３内に滴下する。このドレン２７は、ドレンパン１３内のドレン溜まり１３０に集められ、ここからドレンポンプ１６により吸い上げられ、ドレン配管１７、ドレンソケット１８、および排水管（図示せず）を経て室外に排出される。
【００１８】
ドレンパン１３は、矩形環状の底部１３１と、底部１３１の内周縁および外周縁からそれぞれ上方に立ち上がる内周壁部１３２、外周壁部１３３とを有している。上述した外装パネルは、底部１３１の下面を覆うように設けられている。外装パネルの吸込口や吹出口を介して、室内光（室内照明光や太陽光）が外装パネルの内側に入射する。
底部１３１には、当該底部１３１の各所から角隅部１３ｃに向かうにつれて次第に下る勾配が付けられている。その角隅部１３ｃの周辺の底部１３１、内周壁部１３２、および外周壁部１３３によってドレン溜まり１３０が構成されている。ドレン溜まり１３０にはほぼ常時ドレン２７が溜まっているため、ドレン溜まり１３０内は、微生物が繁殖し易い環境となっている。
【００１９】
ドレン溜まり１３０のドレン２７には、主に有機物である汚れ２８が存在する。汚れ２８は、微生物と、その微生物の食料や排出物等を含んでおり、その比重により、ドレン溜まり１３０の底に滞留し易い。また、汚れ２８には、粘着性を有する排出物が含まれるため、ドレン溜まり１３０の底に汚れ２８が付着し易い。この汚れ２８の色は、例えば、灰色や茶色であり、その汚れの程度が進むにつれて濃くなる。
【００２０】
ドレン溜まり１３０には、厚み方向に貫通する貫通孔１３ｂが形成されている。この貫通孔１３ｂには、板状の透明部材２０が嵌め込まれている。
透明部材２０は、透光性を有しており、ＡＢＳ樹脂（アクリロニトリル・ブタジエン・スチレン）、ＡＳ樹脂（アクリロニトリル・スチレン）、ＰＳ樹脂（ポリスチレン）等の合成樹脂や、ソーダガラス等のガラスから形成されている。これらの材料から形成された透明部材２０は、可視光を透過させる。
この透明部材２０は、ドレン２７に対向する内面２０ａと、外装パネルに対向する外面２０ｂとを有している。
内面２０ａは、可視光により励起される光触媒膜２１によって覆われている。内面２０ａと光触媒膜２１との間には、光触媒膜２１を内面２０ａに密着させるプライマー層を介在させることができる。
透明部材２０は、光触媒膜２１が励起される波長領域の可視光を透過させる透光性を有していれば足り、完全な無色透明であることを要しない。
【００２１】
ここで、室内光に含まれる可視光は、その大部分が、透明部材２０を透過して光触媒膜２１に供給される。これに対し、室内光に含まれる紫外光は、透明部材２０に石英ガラス等の高価な材料を用いないと、その殆どが透明部材２０の内側には透過しない。つまり、可視光励起型の光触媒を採用することにより、透明部材２０の材料が樹脂やソーダガラス等の安価なもので足りるので、光触媒膜２１を設けることによるコストの増加を抑えられる。
【００２２】
光触媒膜２１は、酸化チタン（ＴｉＯ２）、酸化タングステン（ＷＯ３）等を主成分としており、その成分によって、励起される波長領域が異なるが、可視光領域（下限が３６０〜４００ｎｍ、上限が７６０〜８３０ｎｍ）の少なくとも一部の波長領域において励起される。光触媒膜２１の励起波長領域は、例えば、３８０〜４５０ｎｍである。
この光触媒膜２１は、励起波長領域の可視光を吸収すると励起される。そのとき放出された電子および電子が抜けた正孔と、ドレン２７中のＯ２およびＨ２Ｏとの触媒反応により、Ｏ２−（スーパーオキシドアニオン）および・ＯＨ（ヒドロキシルラジカル）が生成される。これらＯ２−および・ＯＨによって、光触媒膜２１上の有機物が酸化分解される。
光触媒膜２１に用いることのできる光触媒（製品）としては、例えば、（株）豊田中央研究所の「Ｖ−ＣＡＴ」、昭和電工（株）の「ナノチタニア」、住友化学（株）の「ｉＬＵＭｉＯ」（いずれも登録商標）がある。
この光触媒膜２１を内面２０ａに設ける方法は任意であるが、例えば、光触媒の粒子を溶媒に分散させてなる液体やゾルを内面２０ａに塗布し、その後、常温で乾燥させることにより、光触媒膜２１を成膜することができる。
【００２３】
以上のような透明部材２０の内面２０ａに対して、少し間隔をおいて、ドレンポンプ１６の円筒状の吸込部１６０が垂直に配置されている。この吸込部１６０の下端部１６１は、ドレン２７に浸かっており、汚れ２８が付着し易い状態に置かれている。ドレンパン１３の清掃時には、吸込部１６０も清掃される。
【００２４】
上記のように構成された室内ユニット１０では、外装パネルの内側に入射した室内光の可視光成分が透明部材２０の外面２０ｂおよび内面２０ａを順に透過し、光触媒膜２１へと供給される。この可視光に励起された光触媒膜２１によって内面２０ａ上の有機物が酸化分解される。これによって内面２０ａでは微生物の食料が無くなるか少なくなるために、微生物が繁殖し難くなる、
これに加えて、同じく有機物である粘着性の排出物が分解されることにより、汚れ２７が内面２０ａに付着し難くなる上、その汚れ２８が、内面２０ａに接するドレン２７によって内面２０ａから洗い流される。本実施形態では、内面２０ａの付近に、ドレンポンプ１６の吸い込みによるドレン２７の流れが生じるため、内面２０ａから汚れ２８を洗い流す効果が高い。
以上により、透明部材２０の内面２０ａが汚染されるのが抑制されている。
【００２５】
ドレンパン１３内の汚れ２８の確認作業について説明する。
まず、外装パネルを取り外し、ドレンパン１３の底部１３１を室内に露出させる。そして、透明部材２０を介してドレン溜まり１３ｂ内の汚れ２８を目視で確認する。このとき、図２に示すように、確認者の目Ｅには、透明部材２０を介して、ドレンポンプ１６の吸込部１６０の下端部１６１が見える。
なお、内面２０ａに対して垂直に設けられた吸込部１６０の下端部１６１は、鉛直方向と水平方向との間の斜め方向から目視した際にも視認される。
【００２６】
上述したように、光触媒膜２１によって透明部材２０の内面２０ａ上の汚れ２８（有機物）が分解されるので、透明部材２０の内面２０ａは清浄に保たれ易い。一方、ドレンポンプ１６の吸込部１６０の下端部１６１は、ドレン２７との接触により汚れ２８が付着することで、当初は白あるいは白に近い色であったものが次第に汚れていく。
図３に、透明部材２０を介して外部から視認される吸込部１６０の下端部１６１の汚れが進行していく様子を示した。ハッチング線の間隔が密になる程、汚れが進行したことを示している。図６においても同様である。
ここで、透明部材２０の内面２０ａも次第に汚れていくが、上述した光触媒膜２１の酸化分解作用によって内面２０ａの汚染が抑制されるため、透明部材２０の内面２０ａの汚染は、吸込部１６０の下端部１６１の汚染よりも進行が遅くなる。
したがって、透明部材２０を介してドレンポンプ１６の吸込部１６０の下端部１６１を視認できる間は、その下端部１６１の汚れの状態（例えば、色や濃さ）に基づいて、ドレン溜まり１３０内の汚れ２８の進行の程度を把握できる。その汚れの進行の程度に基づいて、ドレンパン１３の清掃の必要性や清掃時期を適切に判断できる。
【００２７】
上記のように、透明部材２０の内面２０ａの汚染の進行が、吸込部１６０の下端部１６１の汚染の進行よりも遅くなることにより、外部から透明部材２０を介して吸込部１６０の下端部１６１を視認することのできる期間が長くなる。
つまり、透明部材２０の内面２０ａを長期に亘り、汚れ２８の確認に支障がない程度に清浄に保てるため、透明部材２０を介して、ドレン溜まり１３０内が汚れているか否かを判別可能な期間を長期化できる。この期間は、本実施形態では約３か月である。
本実施形態によれば、透明部材２０が早期に汚れてしまうのを避けることができるので、透明部材２０自体が汚れてしまって内部の状況が把握できないためにドレンパン１３を天井から降ろしてその内部の汚れ２８を確認するといった、透明部材２０を有するドレンパン１３に本来不要な作業が発生するのを防止できる。
【００２８】
上記実施形態では、ドレンポンプ１６の吸込部１６０の下端部１６１が、透明部材２０を介して外部から視認される被視物とされていたが、図４に示すように、ドレン２７中で透明部材２０の内面２０ａに対向する被視物１９が設けられていても良い。
被視物１９の形状は任意であり、図示したように内面２０ａに沿って平行に配置される板状のものや、内面２０ａに対して垂直に配置される柱状のものを例示できる。
なお、被視物１９や、上述したドレンポンプ１６の吸込部１６０は、白あるいは白に近い色など、ドレン溜まり１３０内に入射する波長での光反射率が高い色とするのが好ましい。こうすれば、これらの被視物の外部からの視認性が向上するので、被視物の汚れの状態の把握も容易となる。
【００２９】
以上では、ドレンポンプ１６の吸込部１６０や被視物１９を視認することによって汚れの程度を把握できることを述べたが、ドレン溜まり１３０内の照度が高い場合などには、ドレン２７中に浮遊する汚れ２８そのものの色や濃さに基づいて汚れの程度を把握しうる。このため、被視物は本発明に必須の構成ではない。
【００３０】
〔第２実施形態〕
次に、本発明の第２実施形態について図５を参照して説明する。
第２実施形態では、透明部材２５の内面２５ａが、その平面中心を通る中心線Ｃを境界に第１領域２５１と第２領域２５２とに二等分されており、第１領域２５１にのみ、光触媒膜２１が設けられている。第２領域２５２は、ドレン２７に直接接触する。
【００３１】
光触媒膜２１の酸化分解作用により、図６に示すように、第１領域２５１における汚れの進行は、第２領域２５２における汚れの進行よりも遅くなる。このため、第１領域２５１と第２領域２５２との色の違いや濃淡の差に基づいて、汚れの進行程度を把握できる。
本実施形態では、第２領域２５２が被視物１９の代わりとなるので、被視物１９を必要としない。また、第１領域２５１と第２領域２５２とが隣接していることで両者の色の違いや濃淡の差を見分け易いので、汚れの進行程度の把握が容易となる。
その上、光触媒膜２１が透明部材２０の内面２５ａの一部（第１領域２５１）にのみ設けられることで光触媒の使用量を減らせるため、光触媒膜２１を設けることによるコストの増加を抑えられる。
【００３２】
ところで、ドレン溜まり１３０内の汚れの進行程度を把握するのに、汚れ２８の色や濃さを段階的に示す色見本を用いることもできる。この色見本と、上述したドレンポンプ１６の吸込部１６０、被視物１９、第２領域２５２等の被視物とを見比べることによって、汚れの進行の程度を定量的に把握することができる。
【００３３】
〔第３実施形態〕
次に、本発明の第３実施形態について図７を参照して説明する。
第３実施形態は、室内光を透明部材２０の内面２０ａ側に導く線状の導光部材（光ファイバー等）３５を備える点が上記各実施形態とは相違する。なお、図７には、本実施形態の主要構成のみ示したが、ケース本体１１、室内熱交換器１２、送風機１４等も第１実施形態と同様に設けられている。図８においても同様である。
【００３４】
図７に示すように、ドレンパン１３の下側には、底部１３１を覆う平面視矩形状の外装パネル３３が設けられている。この外装パネル３３には、図示しない吸込口および吹出口が形成されている。この外装パネル３３には、ドレンパン１３の角隅部１３ｃに対向する角隅部３３ｃに、導光部材３５の一端部３５ａを室内に露出させる挿通孔３３０が設けられている。
導光部材３５は、樹脂やソーダガラス等からなり、可視光を室内からドレン溜まり１３０に導く。この導光部材３５は、挿通孔３３０を介して室内に露出する一端部３５ａと、透明部材２０の内面２０ａの中央部に対向する他端部３５ｂとを有している。
この導光部材３５の一端部３５ａから室内光が導光部材３５内に取り込まれると、その可視光成分が他端部３５ｂまで導光され、他端部３５ｂから、内面２０ａに設けられた光触媒膜２１に向けて出射される。これによって、ドレン溜まり１３０内が照明される。
【００３５】
本実施形態では、導光部材３５によって外部の可視光が取り込まれるため、外装パネル３３の吸込口や吹出口だけから室内光が取り込まれる場合よりも、光触媒膜２１への可視光供給量を増大させることができる。
また、紫外光を導光するには、その導光部材３５の材料に石英ガラス等の高価な材料を用いる必要があるのに対し、可視光を導光するには、樹脂やソーダガラス等の安価な材料で足りる。この点も、可視光励起型の光触媒を採用することの利点となる。
【００３６】
本実施形態によれば、光触媒膜２１への可視光供給量が多いことで、光触媒膜２１による有機物の酸化分解作用を促進できるので、透明部材２０の内面２０ａの汚染がより進行し難くなる。
その上、光触媒膜２１が設けられた内面２０ａ側への可視光取り込み量が多いことでドレン溜まり１３０内の照度が上がり、ドレン溜まり１３０内の視認性が向上するので、ドレン溜まり１３０内の汚れを容易に確認できる。
【００３７】
なお、本実施形態の導光部材３５は、挿通孔３３０から外周壁部１３３に沿って上方に延びるとともに、外周壁部１３３の上端を越えてドレン溜まり１３０の内部に引き込まれているが、導光部材３５を室内に露出する位置から、透明部材２０の内面２０ａに対向する位置まで取り回す経路は任意である。例えば、導光部材３５が透明部材２０を室内側から貫通するように設けられていてもよい。
【００３８】
〔第４実施形態〕
次に、本発明の第４実施形態について図８を参照して説明する。
第４実施形態は、図８（Ａ）に示すように、室内光を透明部材２０の外面２０ｂに向けて供給する導光部材として機能する開口部４５を外装パネル３３に有している。
開口部４５は、外装パネル３３に形成されており、透明部材２０に対向する位置で外装パネル３３を厚み方向に貫通している。この開口部４５には、透明板４７が嵌め込まれている。透明板４７は、透明部材２０と同様に、可視光を透過させる樹脂やソーダガラス等から形成されている。
【００３９】
本実施形態では、外部の可視光が透明板４７を介して開口部４５から取り込まれるため、外装パネル３３の吸込口や吹出口だけから室内光が取り込まれる場合よりも、光触媒膜２１への可視光供給量を増大させることができる。このため、第３実施形態とほぼ同様の効果が得られる。
なお、この効果を得る目的において、透明板４７は必須ではないが、開口部４５に透明板４７を設けることにより、外装パネル３３の内側への塵埃の侵入を防止できる。
【００４０】
また、透明板４７の代わりに、図８（Ｂ）に示すように、プリズム（直角プリズム）４８を設けることもできる。プリズム４８の斜辺４８３に隣接する一辺４８１は、室内ユニット１０が設置される天井の表面に沿って設けられる外装パネル３３の表面３３ａに直交し、かつ表面３３ａよりも下側に突出している。また、一辺４８１と直角をなす他辺４８２は、外装パネル３３の表面３３ａと平行に配置されている。このプリズム４８は、図示したように、複数設けられていてもよい。
【００４１】
室内空間に存在する光には、室内ユニットが設置された天井の表面に沿って進行する成分が多く含まれている。この成分にあたる外部光Ｌが、プリズム４８の一辺４８１から斜辺４８３に向けて入射すると、斜辺４８３で上向きに直角に曲げられて他辺４８２から射出される。この射出光が、外装パネル３３の表面３３ａと平行に設けられた透明部材２０に入射する。
このようにプリズム４８を用いることで、透明板４７を用いた場合には捕捉し得なかった室内光Ｌをも取り込んで、光触媒膜２１により多くの可視光を供給することができる。
なお、透明部材２０の平面視において、プリズム４８が設けられていない領域があり、その領域からも外部光が透明部材２０に入射する。天井の表面に沿って進行する光成分だけでなく、天井の表面に直交する光成分の透明部材２０への入射光量も高くするには、例えば、図８（Ａ）の構成において、外装パネル３３の開口部４５の周縁部にプリズムを配置するのが好ましい。
【００４２】
上記で示した直角プリズムはあくまで一例であり、プリズム４８に代えて、天井の表面に沿って進行する光を透明部材２０に向けて曲げられる任意の形状のプリズムを使用できる。このとき、光が曲げられる角度は直角でなくてもよく、そのプリズムに入射した光が透明部材２０に入射する任意の角度であってよい。
【００４３】
以上本発明を実施形態に基づいて説明したが、本発明の光触媒膜を透明部材２０の内面２０ａに設ける方法は、上述した塗布および乾燥による手法に限らない。例えば、表面に光触媒膜が形成された樹脂フィルムを接着剤により透明部材２０の内面２０ａに貼り付けることで、光触媒膜２１を設けることもできる。
また、本発明の透明部材は、上記各実施形態で示したものに限らず、その構成は任意である。例えば、ドレンパン１３の底部１３１を貫通するように形成されたドレン２７の排出口に着脱自在に設けられるプラグとして、本発明の透明部材を構成することができる。
【００４４】
上述した以外にも、本発明の主旨を逸脱しない限り、上記実施の形態で挙げた構成を取捨選択したり、他の構成に適宜変更することが可能である。
【符号の説明】
【００４５】
１０    室内ユニット
１１    ケース本体
１２    室内熱交換器
１３    ドレンパン
１４    送風機
１５    導風板
１６    ドレンポンプ
１７    ドレン配管
１８    ドレンソケット
１９    被視物
２０，２５  透明部材
２０ａ  内面
２０ｂ  外面
２１    光触媒膜
２５ａ  内面
２７    ドレン
３３    外装パネル
３５    線状の導光部材
４５    開口部
４７    透明板
４８    プリズム
１３１  底部
１６０  吸込部
１６１  下端部
２５１  第１領域
２５２  第２領域
【図１】
0005868687.tif 000002
【図２】
0005868687.tif 000003
【図３】
0005868687.tif 000004
【図４】
0005868687.tif 000005
【図５】
0005868687.tif 000006
【図６】
0005868687.tif 000007
【図７】
0005868687.tif 000008
【図８】
0005868687.tif 000009